(57)【要約】【課題】互いに嵌合可能な第１コネクタ及び第２コネクタを備えた電気接続装置であって当該第１及び第２コネクタ同士の嵌合状態の検知がより確実に行われる装置、を提供する。【解決手段】電気接続装置は、第１ハウジング１０を有する第１コネクタＣ１と、第１ハウジング１０の挿入を受け入れる第２ハウジング２０を有する第２コネクタＣ２と、嵌合検知用治具３０と、を備える。嵌合検知用治具３０は、被係止部３４を有する。第１ハウジング１０は、被係止部３４を係止する治具係止部１８と、治具係止部１８が被係止部３４を係止した状態で嵌合検知用治具３０が第１ハウジング１０から離脱するのを阻止しかつその係止が外れた状態で嵌合検知用治具３０の離脱を許容する治具拘束部１４ｄと、を有する。第２ハウジング２０は、第１ハウジング１０が正規の嵌合位置に到達した時点で前記係止を解除する係止解除操作部２８を有する。【選択図】図３
2017037732.tif 000002
【特許請求の範囲】
【請求項１】
電気接続装置であって、
第１端子及び当該第１端子を保持する第１ハウジングを有する第１コネクタと、
前記第１端子と嵌合することにより当該第１端子と電気的に導通する第２端子及びこの第２端子を保持する第２ハウジングを有する第２コネクタと、
前記第１端子と前記第２端子との嵌合状態を検知するための嵌合検知用治具と、を備え、
前記第２ハウジングは、当該第２ハウジングの内側への前記第１ハウジングの挿入を受け入れる形状を有し、前記第１端子及び前記第２端子は当該第１ハウジングの挿入に伴って互いに嵌合し、
前記嵌合検知用治具は、前記第１ハウジングに係止されるための被係止部を有し、
前記第１ハウジングは、前記被係止部を係止する治具係止部と、当該治具係止部が当該被係止部を係止した状態では前記嵌合検知用治具が前記第１ハウジングから離脱するのを阻止する一方で当該治具係止部から当該被係止部が外れた状態では前記嵌合検知用治具が前記第１ハウジングから離脱するのを許容するように当該嵌合検知用治具を拘束する治具拘束部と、を有し、
前記第２ハウジングは、前記第１端子と前記第２端子との嵌合が完了する正規の嵌合位置に前記第１ハウジングが到達するまでは前記治具係止部による前記被係止部の係止を維持させ、前記正規の嵌合位置に前記第１ハウジングが到達した時点で前記治具係止部による前記被係止部の係止を解除するように前記嵌合検知用治具を操作する係止解除操作部を有する、電気接続装置。
【請求項２】
請求項１記載の電気接続装置であって、前記第１ハウジングは、前記被係止部が突出する外周面をもつハウジング本体と、当該ハウジング本体のうち前記被係止部を含む領域を外側から覆う形状を有していて当該ハウジング本体が前記第２ハウジング内に挿入された状態でその挿入状態をロックするように当該第２ハウジングに係止されるロック部と、を有し、前記治具拘束部は前記嵌合検知用治具を当該治具拘束部と前記ハウジング本体の外側面との間で拘束するように前記ロック部に設けられている、電気接続装置。
【請求項３】
請求項１または２記載の電気接続装置であって、前記第２ハウジングは、前記第１ハウジングに対してその挿入方向に対向する奥壁と、この奥壁とつながって前記第１ハウジングを受け入れる受入れ空間を囲む周壁と、を有し、前記係止解除操作部は、前記奥壁から前記受入れ空間内に突出する形状を有する、電気接続装置。
【請求項４】
請求項３記載の電気接続装置であって、前記被係止部は、前記第２ハウジングへの前記第１ハウジングの挿入に伴って前記係止解除操作部の突出方向の先端部と当接する被操作部を有し、前記係止解除操作部及び前記被操作部は、前記第１ハウジングの挿入に伴って前記係止解除操作部が当該被操作部に与える力を前記被係止部を前記治具係止部から離れる方向に弾性変位させる向きの成分を含む操作力に変換する形状を有する、電気接続装置。
【発明の詳細な説明】
【技術分野】
【０００１】
本発明は、互いに嵌合可能な第１コネクタ及び第２コネクタを備える電気接続装置であって、当該第１コネクタ及び第２コネクタの嵌合状態を検知する機能を有するものに関する。
【背景技術】
【０００２】
従来、嵌合検知機能を有する電気接続装置として、特許文献１及び２に記載されるものが、知られている。これらの文献に記載される装置は、互いに嵌合可能な一対のコネクタと、これらのコネクタ同士の嵌合を検知するための治具と、を備える。前記一対のコネクタのうち、一方のコネクタ（両文献でいうところの「雌コネクタ」）は他方のコネクタ（両文献でいうところの「雄コネクタ」）を受け入れる形状を有し、当該一方のコネクタは当該他方のコネクタに挿入されるのに伴って内側に撓み変形することが可能なロック片を有する。前記治具は、前記他方のコネクタ本体と前記ロック片との間に挿入された状態で当該他方のコネクタとともに前記一方のコネクタの内側に挿入される。
【０００３】
この装置において、前記ロック片は両コネクタの嵌合途中で前記撓み変形することにより、前記治具が当該ロック片から離脱することを阻止する一方、両コネクタの嵌合が正常に完了した段階で元の位置に向かって弾性的に復帰することにより、前記治具が当該ロック片から離脱することを許容する。従って、操作者は、当該治具の離脱が不能である場合に、両コネクタの嵌合が正常に完了していない半嵌合状態にあることを認識することができる。
【先行技術文献】
【特許文献】
【０００４】
【特許文献１】特開２０１４−４４８２５号公報
【特許文献２】特開２０１５−４１４６９号公報
【発明の概要】
【発明が解決しようとする課題】
【０００５】
前記特許文献１及び２に記載される装置では、例えば前記嵌合検知用の治具の使用が失念されることにより、当該治具が装着されないまま両コネクタの嵌合操作が行われる可能性がある。この場合、前記治具による嵌合状態の確認が行われずに前記両コネクタが使用されることになり、好ましくない。
【課題を解決するための手段】
【０００６】
本発明は、前記の課題を解決することが可能な電気接続装置、具体的には、互いに嵌合可能な第１コネクタ及び第２コネクタを備えた電気接続装置であって当該第１及び第２コネクタ同士の嵌合状態の検知がより確実に行われる装置、を提供することを目的とする。
【０００７】
提供されるのは、電気接続装置であって、第１端子及び当該第１端子を保持する第１ハウジングを有する第１コネクタと、前記第１端子と嵌合することにより当該第１端子と電気的に導通する第２端子及びこの第２端子を保持する第２ハウジングを有する第２コネクタと、前記第１端子と前記第２端子との嵌合状態を検知するための嵌合検知用治具と、を備える。前記第２ハウジングは、当該第２ハウジングの内側への前記第１ハウジングの挿入を受け入れる形状を有し、当該第１ハウジングの挿入に伴って前記第１端子と前記第２端子とが互いに嵌合する。前記嵌合検知用治具は、前記第１ハウジングに係止されるための被係止部を有する。前記第１ハウジングは、前記被係止部を係止する治具係止部と、当該治具係止部が当該被係止部を係止した状態では前記嵌合検知用治具が前記第１ハウジングから離脱するのを阻止する一方で当該治具係止部から当該被係止部が外れた状態では前記嵌合検知用治具が前記第１ハウジングから離脱するのを許容するように当該嵌合検知用治具を拘束する治具拘束部と、を有する。前記第２ハウジングは、前記第１端子と前記第２端子との嵌合が完了する正規の嵌合位置に前記第１ハウジングが到達するまでは前記治具係止部による前記被係止部の係止を維持させ、前記正規の嵌合位置に前記第１ハウジングが到達した時点で前記治具係止部による前記被係止部の係止を解除するように前記嵌合検知用治具を操作する係止解除操作部を有する。
【０００８】
この電気接続装置によれば、予め前記嵌合検知用治具を第１コネクタの第１ハウジングに拘束しておくこと、具体的には、当該第１ハウジングの治具係止部に当該嵌合検知用治具の被係止部を係止させた状態で当該第１ハウジングの治具拘束部に当該嵌合検知用治具を拘束させておくこと、により、当該嵌合検知用治具の使い忘れ、つまり当該嵌合検知用治具を用いることなく第１及び第２コネクタ同士の嵌合が行われること、を確実に防ぐことができる。そして、この状態で第２コネクタの第２ハウジングの内側への前記第１ハウジングの挿入を進めるだけで、第１及び第２コネクタ同士の嵌合及びその嵌合状態の検知を行うことが可能である。
【０００９】
具体的に、当該挿入によって第１ハウジングが正規の嵌合位置すなわち第１端子と第２端子との嵌合が完了する位置まで到達すると、前記治具係止部による前記被係止部の係止を解除するように前記第２ハウジングの係止解除操作部が前記嵌合検知用治具を操作し、当該嵌合検知用治具が当該第１ハウジングから離脱することを可能にする。従って、この嵌合検知用治具の離脱が可能であることをもって、操作者は、前記第１及び第２端子同士の嵌合が完了していることを認識することができる。
【００１０】
一方、前記第１ハウジングが前記正規の嵌合位置に到達する前の半嵌合状態では、前記治具係止部による前記被係止部の係止が解除されないため、当該嵌合検知用治具の当該第１ハウジングからの離脱を阻止するような当該嵌合検知用治具の拘束が持続される。従って、当該離脱が不能であることをもって、操作者は、前記第１及び第２端子同士の嵌合が不十分である半嵌合状態を認識することができる。
【００１１】
好ましい態様としては、前記第１ハウジングが、前記被係止部が突出する外周面をもつハウジング本体と、このハウジング本体のうち前記被係止部を含む領域を外側から覆う形状を有していて当該ハウジング本体が前記第２ハウジング内に挿入された状態でその挿入状態をロックするように当該第２ハウジングに係止されるロック部と、を有し、前記治具拘束部は前記嵌合検知用治具を当該治具拘束部と前記ハウジング本体の外側面との間で拘束するように前記ロック部に設けられているものが、挙げられる。この態様では、前記第２ハウジングの内側への第１ハウジングの挿入をロックするためのロック部を利用して前記嵌合検知用治具を外側から拘束する治具拘束部を構成することができる。
【００１２】
前記第２ハウジングが、前記第１ハウジングに対して当該第１ハウジングの挿入方向に対向する奥壁と、当該奥壁とつながって前記第１ハウジングを受け入れる受入れ空間を囲む周壁と、を有する態様では、前記係止解除操作部は、例えば、前記奥壁から前記受入れ空間内に突出する形状を有するのが、よい。この係止解除操作部は、前記受入れ空間内への前記第１ハウジングの挿入に伴って当該第１ハウジングと接近することができ、これにより、前記挿入に伴う前記嵌合検知用治具の被係止部の操作を行うことが、可能である。
【００１３】
この態様において、前記被係止部は、前記第２ハウジングへの前記第１ハウジングの挿入に伴って前記係止解除操作部の突出方向の先端部と当接する被操作部を有し、当該係止解除操作部及び当該被操作部は、前記第１ハウジングの挿入に伴って前記係止解除操作部が当該被操作部に与える力を前記被係止部を前記治具係止部から離れる方向に弾性変位させる向きの成分を含む操作力に変換する形状を有するのが、よい。
【発明の効果】
【００１４】
以上のように、本発明によれば、互いに嵌合可能な第１コネクタ及び第２コネクタを備えた電気接続装置であって当該第１及び第２コネクタ同士の嵌合状態の検知がより確実に行われることが可能な装置が、提供される。
【図面の簡単な説明】
【００１５】
【図１】本発明の実施の形態に係る電気接続装置において第２ハウジングに挿入される前の第１ハウジング及びこれに装着される嵌合検知用治具を示す断面側面図である。
【図２】前記電気接続装置において第２ハウジングに前記第１ハウジング及びこれに装着される嵌合検知用治具が挿入された状態であってかつ当該第１ハウジングが正規の嵌合位置に至る前の半嵌合状態を示す断面側面図である。
【図３】前記電気接続装置において第２ハウジングに前記第１ハウジング及びこれに装着される嵌合検知用治具が挿入された状態であってかつ当該第１ハウジングが正規の嵌合位置に至った完全嵌合状態を示す断面側面図である。
【図４】前記第１ハウジングの正面図である。
【図５】図４のＶ−Ｖ線に沿った断面図である。
【図６】前記第２ハウジングの正面図である。
【図７】図６のＶＩＩ−ＶＩＩ線断面図である。
【図８】前記嵌合検知用治具の底面図である。
【図９】図８のＩＸ−ＩＸ線に沿った断面図である。
【発明を実施するための形態】
【００１６】
本発明の好ましい実施の形態を、図面を参照しながら説明する。
【００１７】
この実施の形態に係る電気接続装置は、第１コネクタＣ１と、第２コネクタＣ２と、嵌合検知用治具３０と、を備える。第１コネクタＣ１は、それぞれが第１端子である複数の雌端子Ｔ１と、当該複数の雌端子Ｔ１を保持する第１ハウジング１０と、を有する。前記第２コネクタＣ２は、それぞれが第２端子である複数の雄端子Ｔ２と、当該複数の雄端子Ｔ２を保持する第２ハウジング２０と、を有する。前記複数の雌端子Ｔ１と前記複数の雄端子Ｔ２はそれぞれ互いに嵌合可能であり、当該嵌合により互いに電気的に導通することが可能である。前記嵌合検知用治具３０は、前記雌端子Ｔ１と前記雄端子Ｔ２との嵌合状態を検知すべく前記第１ハウジング１０に装着される。
【００１８】
図４及び図５に示されるように、前記第１ハウジング１０は、ハウジング本体１２と、ロック部であるロック片１４と、を有する。
【００１９】
前記ハウジング本体１２は、前記第２ハウジング２０の内側に挿入されることが可能な形状、この実施の形態では略直方体状、をなす。ハウジング本体１２は、前記複数の雌端子Ｔ１をそれぞれ受け入れる複数の端子収容室１３と、各端子収容室１３に受け入れられる前記複数の雌端子Ｔ１をそれぞれ係止する端子係止部、例えばランス、とを有する。
【００２０】
前記ロック片１４は、前記ハウジング本体１２が前記第２ハウジング２０の内側に挿入された状態をロックするように当該第２ハウジング２０に係止される。具体的にロック片１４は、前記ハウジング本体１２の前端部上面と一体につながる前端部１４ａと、この前端部１４ａと反対側の端部であって前記前端部１４ａを支点に前記ハウジング本体１２に近づく方向（図１〜図３では下方向）に撓み変位可能な後端部１４ｂと、前記前端部１４ａと前記後端部１４ｂとの間で上向きに突出する被係止部１４ｃと、を含む。
【００２１】
前記第２ハウジング２０は、受入れ空間を囲む形状を有する。前記受入れ空間は、前記第１ハウジング１０のハウジング本体１２を受け入れる空間である。具体的に、第２ハウジング２０は、奥壁２２と、周壁２４と、を一体に有する。奥壁２２は、前記受入れ空間に挿入される前記第１ハウジング１０のハウジング本体１２に対してその挿入方向と平行な方向（図１〜図３では左右方向）に対向する。周壁２４は、前記受入れ空間を囲む角筒状をなし、かつ、その一方の端部が前記奥壁２２と一体につながる。図６及び図７に示されるように、前記奥壁２２は、複数の端子圧入孔２３を有する。当該複数の端子圧入孔２３には前記複数の雄端子Ｔ２がそれぞれ圧入される。奥壁２２は、前記各端子圧入孔２３に圧入される雄端子Ｔ２を保持する。
【００２２】
前記周壁２４の両端部のうち前記奥壁２２と反対側の端部は、前記第１ハウジング１０の挿入入口を囲む開口端部を構成する。この開口端部の一部は、他の部分よりも内向きに突出するロック片操作部２６を含む。ロック片操作部２６は、前記第２ハウジング２０の受入れ空間内への前記第１ハウジング１０の挿入に伴って前記ロック片１４の被係止部１４ｃを外側から押圧して当該ロック片１４を図２に示すように内向きに弾性変位させ、当該挿入が完了した時点、つまり前記複数の雌端子Ｔ１と前記複数の雄端子Ｔ２とが完全に嵌合する正規の嵌合位置に前記第１ハウジング１０が到達した時点で、図３に示すように前記被係止部１４ｃを後ろ側（図３では右側）から拘束する。これにより、ロック片操作部２６は、当該第１ハウジング１０の後退を阻止して当該第１ハウジング１０の挿入状態をロックする。
【００２３】
前記嵌合検知用治具３０は、前記第１コネクタＣ１と前記第２コネクタＣ２との嵌合の前に予め当該第１コネクタＣ１の第１ハウジング１０に装着され、かつ、当該第１コネクタＣ１と第２コネクタＣ２との嵌合が完全に完了した状態、つまり前記第１ハウジング１０が前記正規の嵌合位置まで到達した状態、でのみ前記第１ハウジング１０から離脱可能となるように、当該第１ハウジング１０に保持される。
【００２４】
具体的に、前記第１ハウジング１０のハウジング本体１２の上面のうち、前記ロック片１４に覆われている領域には、嵌合検知用治具３０を保持する部分が設けられている。この部分は、溝１６と、係止突起１８と、を含む。溝１６は、前記上面のうち部分的に凹んだ部分であって、一定の幅をもって前記挿入方向と平行な方向に直線状に延びる。係止突起１８は、前記溝１６の底面の適所において外向き（図１〜図３では上向き）に突出し、前記嵌合検知用治具３０を係止するための治具係止部を構成する。
【００２５】
前記ロック片１４は、治具拘束部１４ｄを有する。治具拘束部１４ｄは、前記ロック片１４の内側面（図１〜図３では下面）の適当な位置において他の部位よりも内向き（図１〜図３では下向き）に突出することにより、当該治具拘束部１４ｄと前記ハウジング本体１２との間で前記嵌合検知用治具３０を拘束する。つまり、嵌合検知用治具３０が前記第１ハウジング１０の上面から上向きに離脱するのを阻止する形状を有する。
【００２６】
前記嵌合検知用治具３０は、治具本体３２と、被係止部３４と、を一体に有する。前記治具本体３２は、前記溝１６に嵌め込まれることが可能な形状、具体的には一定の幅をもって前記挿入方向に沿って延びる形状、をもつ。治具本体３２は、前記ハウジング本体１２と前記治具拘束部１４ｄとの間で拘束を受けることが可能な厚み、具体的には当該ハウジング本体１２の上面（前記溝１６の底面）と前記治具拘束部１４ｄとの隙間よりも僅かに大きい厚み、を有する。また、治具本体３２には、前記のようにロック片１４が下向きに弾性変位したときにその治具拘束部１４ｄと前記治具本体３２との干渉を回避するための貫通穴３３が形成されている。換言すれば、治具本体３２は、図２に示すように、当該貫通穴３３内に前記治具拘束部１４ｄを受け入れることにより、当該治具本体３２の存在にかかわらず前記ロック片１４の下向きの変位を許容している。
【００２７】
前記被係止部３４は、前記係止突起１８によって係止されることが可能な部位であり、撓み片３５と、被係止突起３６と、を一体に有する。
【００２８】
前記撓み片３５は、前記治具本体３２の前端と一体につながる後端部と、その反対側の前端部であって前記ハウジング本体１２に対して接離する向きに撓み変位可能な自由端部と、を有する。撓み片３５は、前記治具本体３２の厚みよりも小さい厚みを有し、その厚み方向に弾性曲げ変形することにより、同方向に前記自由端部を撓み変位させる。
【００２９】
前記被係止突起３６は、前記撓み片３５の当該自由端部すなわち前端部において内向きつまり前記ハウジング本体１２に近づく向きに突出し、前記係止突起１８よりも前記奥壁２２に近い位置で当該係止突起１８に当接することにより当該係止突起１８に係止される。この被係止突起３６を含む被係止部３４の前端部の厚み方向の寸法は前記治具本体３２の厚み寸法と略同等である。
【００３０】
この被係止突起３６は、前記撓み片３５の弾性曲げ変形を伴って前記係止突起１８よりも外側（図１〜図３では上側）に撓み変位（弾性的に変位）することが可能であり、この撓み変位により当該被係止突起３６が当該係止突起１８から上側に離脱した状態で、前記嵌合検知用治具３０は、前記治具拘束部１４ｄによる拘束を受けているにもかかわらず、前記係止突起１８から前記挿入方向と逆方向に後退するようにして前記治具拘束部１４ｄと前記ハウジング本体１２の上面との間を通じて離脱することが可能である。
【００３１】
前記第２ハウジング２０は、前記係止突起１８による前記被係止部３４の係止を解除するための係止解除操作部２８をさらに有する。この係止解除操作部２８は、前記奥壁２２から前記挿入方向と反対の方向に突出し、この実施の形態では舌片状をなす。前記ロック片１４の前端部１４ａには、前記挿入方向と平行な方向への前記係止解除操作部２８の挿通を許容する挿通孔１４ｅが形成され、当該係止解除操作部２８は、前記第２ハウジング２０の内側への前記第１ハウジング１０の挿入の進行に伴って前記嵌合検知用治具３０の被係止部３４の前端に当接し、さらには当該被係止部３４を操作する。具体的には、当が第２ハウジング２０は、当該被係止部３４の被係止突起３６が前記係止突起１８から上向きに離脱するまで当該被係止部３４を撓ませるように当該被係止部３４を操作する。
【００３２】
具体的に、前記被係止突起３６を含む前記被係止部３４の前端面は被操作面３８を構成する。この被操作面３８は、前記係止解除操作部２８の先端と当接することにより当該係止解除操作部２８から受ける力を外向き（図１〜図３では上向き）の成分を含む押圧操作力、つまり前記被係止突起３６を上向きに弾性変位させる力、に変換する形状を有する。この実施の形態に係る前記被操作面３８は、前記被係止突起３６の突出方向の端部（内側端部：図１〜図３では下端部）に向かうに従って滑らかに後退する（つまり奥壁２２から離れる）向きに傾く曲面を有し、この曲面は、その傾斜をもって、当該曲面を前記係止解除操作部２８が押圧する力を上向き成分を含む力に変換する。
【００３３】
この電気接続装置によれば、例えば次の要領で第１コネクタＣ１と第２コネクタＣ２との嵌合、さらにはその嵌合状態の確認を行うことが可能である。
【００３４】
１）第１ハウジング１０への嵌合検知用治具３０の装着
両コネクタＣ１，Ｃ２同士の嵌合に先立ち、第１コネクタＣ１の第１ハウジング１０に嵌合検知用治具３０が装着される。具体的には、当該第１ハウジング１０のハウジング本体１２の溝１６に沿ってロック片１４の内側に後方から嵌合検知用治具３０がその被係止部３４を先頭にして挿入される。そして、この被係止部３４の撓み変形を伴いながら被係止突起３６がハウジング本体１２の係止突起１８を乗り越えることにより、図１に示されるように嵌合検知用治具３０が第１ハウジング１０に装着される。
【００３５】
この状態では、前記係止突起１８が前記被係止突起３６を係止し、かつ、前記ロック片１４の治具拘束部１４ｄが外側から嵌合検知用治具３０を拘束するので、嵌合検知用治具３０は第１ハウジング１０から離脱することができない。このような第１ハウジング１０による嵌合検知用治具３０の拘束は、コネクタＣ１，Ｃ２同士の嵌合の前に予め第１ハウジング１０に嵌合検知用治具３０を仕込んでおくことを可能にし、これにより、当該嵌合検知用治具３０の使い忘れ、つまり、当該嵌合検知用治具３０を用いることなくコネクタＣ１，Ｃ２同士の嵌合が進められること、を防ぐ。
【００３６】
２）コネクタＣ１，Ｃ２同士の嵌合
前記のように嵌合検知用治具３０が装着された第１ハウジング１０がそのまま第２ハウジング２０の内側に挿入される。この挿入に伴い、第１コネクタＣ１の雌端子Ｔ１と第２コネクタＣ２の雄端子Ｔ２との嵌合が進行する。そして、当該嵌合が完了した時点、つまり第１ハウジング１０が正規の嵌合位置まで到達した時点で、両端子Ｔ１，Ｔ２同士の電気的導通が確立される。
【００３７】
前記第１ハウジング１０の挿入つまり第２ハウジング２０に対する第１ハウジング１０の相対移動に伴い、第２ハウジング２０に形成されている係止解除操作部２８がロック片１４の前端部１４ａに形成された挿通孔１４ｅを通じて当該ロック片１４の内側に進入し、当該係止解除操作部２８の先端が前記被係止部３４の前端面である被操作面３８に突き当たる。この被操作面３８は、前記挿入が進行するにつれて前記係止解除操作部２８の先端から外向き（図１〜図３では上向き）の成分を含む押圧操作力を受け、この押圧操作力は、図３に示すように前記第１ハウジング１０が前記正規の嵌合位置に到達した時点で、被係止部３４をその被係止突起３６が前記係止突起１８よりも上側に位置するまで撓み変形させる。この状態で、操作者は前記嵌合検知用治具３０を前記ロック片１４の内側から後方に抜き取ることが可能であり、これをもって、コネクタＣ１，Ｃ２同士の嵌合が完了したことを認識することができる。また、このように引き抜かれた嵌合検知用治具３０は、同一の電気接続装置または同等の構造をもつ他の電気接続装置の嵌合検知に繰り返し使用されることが可能である。
【００３８】
一方、前記第１ハウジング１０の挿入が不完全で図２に示すように正規の嵌合位置に到達する前の状態すなわち半嵌合状態では、被係止部３４の撓み変形が足りないために前記係止突起１８による被係止部３４の係止が解除されず、当該嵌合検知用治具３０の第１ハウジング１０からの離脱を阻止するような当該嵌合検知用治具３０の拘束が持続される。従って、操作者はこの半嵌合状態では前記嵌合検知用治具３０を抜き取ることができない。操作者は、このように嵌合検知用治具３０の離脱が不能であるという事実をもって、前記コネクタＣ１，Ｃ２同士の嵌合が未だ不十分であることを認識することができる。
【００３９】
本発明は、以上示した実施の形態に限定されない。本発明は、例えば次のような実施の形態を含むことが可能である。
（１）治具拘束部は、前記のようにロック片１４に形成されたものに限定されない。治具拘束部は、ロック片１４とは別に第１ハウジングに形成されたものであってもよい。
（２）被係止部の被操作部及びこれを操作する係止解除操作部の形状は、適宜設定可能である。例えば、前記被操作部に前記のような曲面形状が与えられるのに加え、あるいはこれに代え、前記係止解除操作部の先端部に、当該係止解除操作部が被係止部に与える力を第２ハウジングへの第１ハウジングの挿入の進行に伴って被係止部をハウジング本体から離間させる力に変換する形状、例えば当該係止解除操作部の先端に向かうに従って厚みが小さくなるくさび形状、が与えられてもよい。
（３）本発明において、第１端子及び第２端子の具体的な形状や用途は問わない。例えば、第２端子は、複数の第１端子を相互に短絡するように短絡用連結部を介して相互結合されるジョイント端子であってもよい。
【符号の説明】
【００４０】
Ｃ１    第１コネクタ
Ｃ２    第２コネクタ
Ｔ１    雌端子（第１端子）
Ｔ２    雄端子（第２端子）
１０    第１ハウジング
１２    ハウジング本体
１３    端子収容室
１４    ロック片（ロック部）
１４ｄ  治具拘束部
１６    溝
１８    係止突起（治具係止部）
２０    第２ハウジング
２２    奥壁
２４    周壁
２８    係止解除操作部
３０    嵌合検知用治具
３２    治具本体
３４    被係止部
３５    撓み片
３６    被係止突起
３８    被操作面
【図１】
2017037732.tif 000003
【図２】
2017037732.tif 000004
【図３】
2017037732.tif 000005
【図４】
2017037732.tif 000006
【図５】
2017037732.tif 000007
【図６】
2017037732.tif 000008
【図７】
2017037732.tif 000009
【図８】
2017037732.tif 000010
【図９】
2017037732.tif 000011